(57)【特許請求の範囲】
【請求項１】
パレット上に載置した運搬物をパレットごとクレーンなどの荷役機械で吊って吊り上げる際に使用するパレット用の吊り上げ補助具であって、
運搬物を水平に吊り上げるためにパレットの貫通開口部に挿通される、貫通孔を有する板状のプレートが両端部に取り付けられた２本の棒状の支持部材と、
支持部材が中央に引き寄せられないように間隔保持材として機能する、複数の螺子留め孔が設けられた２本の棒状の寄り止め部材と、
からなり、
支持部材をパレットの貫通開口部に挿通したあと、
寄り止め部材の螺子留め孔が支持部材の貫通孔に重なるように、寄り止め部材を支持部材の端部に当接させ、
重なり合った螺子留め孔と貫通孔とを螺子留めすることによって支持部材が中央に引き寄せられないようにする
ことを特徴とするパレット用吊り上げ補助具。
【請求項２】
パレット上に載置した運搬物をパレットごとクレーンなどの荷役機械で吊って吊り上げる際に使用するパレット用の吊り上げ補助具であって、
運搬物を水平に吊り上げるためにパレットの貫通開口部に挿通される、貫通孔を有する板状のプレートが両端部に取り付けられた２本の棒状の支持部材と、
支持部材が中央に引き寄せられないように間隔保持材として機能する、Ｌ型断面形状をなし、複数の螺子留め孔が設けられた２本の棒状の寄り止め部材と、
からなり、
支持部材をパレットの貫通開口部に挿通したあと、
寄り止め部材の螺子留め孔が支持部材の貫通孔に重なるように、寄り止め部材を支持部材の端部に当接させ、
重なり合った螺子留め孔と貫通孔とを螺子留めすることによって支持部材が中央に引き寄せられないようにする
ことを特徴とするパレット用吊り上げ補助具。
【請求項３】
パレット上に載置した運搬物をパレットごとクレーンなどの荷役機械で吊って吊り上げる際に使用するパレット用の吊り上げ補助具であって、
運搬物を水平に吊り上げるためにパレットの貫通開口部に挿通される、貫通孔を有する板状のプレートが両端部に取り付けられた２本の棒状の支持部材と、
支持部材が中央に引き寄せられないように間隔保持材として機能する、Ｌ型断面形状をなし、複数の螺子留め孔が設けられた２本の棒状の寄り止め部材と、
クレーンなどの荷役機械の先端に取り付けられたフックまでの間で、支持部材の各端部を吊る複数のロープを中継するためのリング状のロープ中継部材と、
からなり、
支持部材をパレットの貫通開口部に挿通したあと、
寄り止め部材の螺子留め孔が支持部材の貫通孔に重なるように、寄り止め部材を支持部材の端部に当接させ、
重なり合った螺子留め孔と貫通孔とを螺子留めすることによって支持部材が中央に引き寄せられないようにし、
支持部材の各端部を吊った複数のロープをロープ中継部材に締結し、クレーン先端のフックまでの間で一旦中継して懸垂する
ことを特徴とするパレット用吊り上げ補助具。
【請求項４】
パレット上に載置した運搬物をパレットごとクレーンなどの荷役機械で吊って吊り上げる際に使用するパレット用の吊り上げ補助具であって、
運搬物を水平に吊り上げるためにパレットの貫通開口部に挿通される、貫通孔を有する板状のプレートが両端部に取り付けられた２本の棒状の支持部材と、
支持部材が中央に引き寄せられないように間隔保持材として機能する、Ｌ型断面形状をなし、複数の螺子留め孔が設けられた２本の棒状の寄り止め部材と、
クレーンなどの荷役機械の先端に取り付けられたフックまでの間で、支持部材の各端部を吊る複数のロープを中継するためのリング状のロープ中継部材と、
支持部材の各端部を吊る複数のロープがパレット上の載置した運搬物に接しないように支持部材のロープを各端部側のそれぞれで締結する、ロープ中継部材を備えた間隔保持部材と、
からなり、
支持部材をパレットの貫通開口部に挿通したあと、
寄り止め部材の螺子留め孔が支持部材の貫通孔に重なるように、寄り止め部材を支持部材の端部に当接させ、
重なり合った螺子留め孔と貫通孔とを螺子留めすることによって支持部材が中央に引き寄せられないようにし、
支持部材の各端部を吊った複数のロープを間隔保持部材に取り付けられたロープ中継部材に締結し、
各ロープ中継部材からクレーン先端のフックまでの間で一旦中継して懸垂する
ことを特徴とするパレット用吊り上げ補助具。
【発明の詳細な説明】
【技術分野】
【０００１】本発明は、クレーンなどの荷役機械で運搬物を吊り上げて所定の位置へと移送する際に、運搬物を搬送する台として用いる既製のパレットの補助具またはクレーンから吊り下げる紐を固定する補助具として使用することができるパレット用吊り上げ補助具に関する。
【背景技術】
【０００２】従来より、クレーンなどの荷役機械によって大型の運搬物を吊り上げて所定の位置へと移送する際に、運搬物を搬送する台として、既製のパレットが用いられてきた。
一般的な既製のパレットは、運搬物を載置する台として使用するのみであるから、これをクレーンなどの荷役機械によって吊り上げるためには、パレットの対向する２つの辺の間を貫通するように設けられている開口部に、棒状の部材を２本挿通し、当該部材の両端にロープを引っ掛け、４点吊りにしてパレットごと運搬物を吊り上げていた。【０００３】例えば、特許文献１には、両端部に吊孔部材を軸着させた管部材２本をパレットの貫通開口部に挿通して、４つの吊孔部材にロープ等の吊部材を結んで４点吊りにしてパレットごと荷物を搬送するパレット用安全吊具が開示されている。【０００４】しかし、単に、パレットの貫通開口部に棒状の部材を挿通して４点吊りにしただけでは、荷物を搬送している間に、棒状の部材同士が中央に引き寄せられ、最終的には部材間の距離が小さくなり、荷物のバランスを崩してしまう。【０００５】そこで、特許文献２には、部材同士が引き寄せられるのを防止するパレットハンガーが開示されている。
これによれば、部材間の距離をスライドして調整でき、また、両端にリング状の孔が設けられており、部材を相通させると同時に吊り上げ用のロープを係止することができる。
【先行技術文献】
【特許文献】
【０００６】
【特許文献１】特許３２３５０２５号公報
【特許文献２】特開２００９−２６９７０８号公報
【発明の概要】
【発明が解決しようとする課題】
【０００７】しかしながら、搬送する運搬物は、大型で重量があるものが多いため、パレットの貫通開口部に挿通する部材同士の引き寄せを防ぐ部材は、大きい負荷に耐えられるものでなければならない。
また、パレットの貫通開口部に挿通する２本の部材と、２本の部材同士の引き寄せを防ぐ部材とは、しっかりと固定されていることが望ましい。【０００８】そこで、本発明は、上述した課題を解決するためになされたものであり、極めてシンプルな形状且つ簡易な構造で、作業性にも優れ、大きい負荷にも耐え得るパレット用吊り上げ補助具を提供することを課題とする。
【課題を解決するための手段】
【０００９】本願発明は、上記課題を解決するため、次の技術的手段を講じている。【００１０】
本発明は、
パレット上に載置した運搬物をパレットごとクレーンなどの荷役機械で吊って吊り上げる際に使用するパレット用の吊り上げ補助具であって、
運搬物を水平に吊り上げるためにパレットの貫通開口部に挿通される、貫通孔を有する板状のプレートが両端部に取り付けられた２本の棒状の支持部材と、
支持部材が中央に引き寄せられないように間隔保持材として機能する、複数の螺子留め孔が設けられた２本の棒状の寄り止め部材と、
からなり、
支持部材をパレットの貫通開口部に挿通したあと、
寄り止め部材の螺子留め孔が支持部材の貫通孔に重なるように、寄り止め部材を支持部材の端部に当接させ、
重なり合った螺子留め孔と貫通孔とを螺子留めすることによって支持部材が中央に引き寄せられないようにする
ことを特徴とするパレット用吊り上げ補助具である。
【００１１】
本発明に係るパレット用吊り上げ補助具は、支持部材と寄り止め部材とからなる。
支持部材は、パレットの貫通開口部に挿通する棒状の部材である。
支持部材は、丸型断面形状でも角型断面形状でも良い。
この支持部材によってパレットごと運搬物を引き上げる。
本発明に係るパレット用吊り上げ補助具における支持部材は、２本以上使用する。
支持部材の両端部には、支持部材の軸方向と直交するように板状のプレートが取り付けられている。
プレートは、両端部付近に貫通孔を有する。
この貫通孔は、寄り止め部材の螺子留め孔とともに、ボルトを挿通して螺子留めするためのものである。
寄り止め部材は、プレートと同じ幅の板状のフラットバーである。
この寄り止め部材の螺子留め孔を支持部材のプレートの貫通孔と重ね合わせ、ここにボルトを挿通して螺子留めする。
これにより、支持部材の寄り止めを防止できる。
寄り止め部材の螺子留め孔は、予め複数設けておくことで、支持部材の本数が増えたり、または、支持部材同士の間隔が短い場合にも、寄り止め部材の螺子留め孔と支持部材のプレートの貫通孔との重ね合わせの調節が可能になる。
【００１２】
本発明は、
パレット上に載置した運搬物をパレットごとクレーンなどの荷役機械で吊って吊り上げる際に使用するパレット用の吊り上げ補助具であって、
運搬物を水平に吊り上げるためにパレットの貫通開口部に挿通される、貫通孔を有する板状のプレートが両端部に取り付けられた２本の棒状の支持部材と、
支持部材が中央に引き寄せられないように間隔保持材として機能する、Ｌ型断面形状をなし、複数の螺子留め孔が設けられた２本の棒状の寄り止め部材と、
からなり、
支持部材をパレットの貫通開口部に挿通したあと、
寄り止め部材の螺子留め孔が支持部材の貫通孔に重なるように、寄り止め部材を支持部材の端部に当接させ、
重なり合った螺子留め孔と貫通孔とを螺子留めすることによって支持部材が中央に引き寄せられないようにする
ことを特徴とするパレット用吊り上げ補助具である。
【００１３】
本発明に係るパレット用吊り上げ補助具は、寄り止め部材の形状が、Ｌ型断面形状をなしたアングルバーであることを特徴とするものである。
これによって、板状のフラットバーに比べて、アングルバーの軸周方向に対する捻りに高い抗力を得ることができ、確実に寄り止めを防止し、吊り上げ時、運搬時の安定性が増す。
【００１４】
本発明は、
パレット上に載置した運搬物をパレットごとクレーンなどの荷役機械で吊って吊り上げる際に使用するパレット用の吊り上げ補助具であって、
運搬物を水平に吊り上げるためにパレットの貫通開口部に挿通される、貫通孔を有する板状のプレートが両端部に取り付けられた２本の棒状の支持部材と、
支持部材が中央に引き寄せられないように間隔保持材として機能する、Ｌ型断面形状をなし、複数の螺子留め孔が設けられた２本の棒状の寄り止め部材と、
クレーンなどの荷役機械の先端に取り付けられたフックまでの間で、支持部材の各端部を吊る複数のロープを中継するためのリング状のロープ中継部材と、
からなり、
支持部材をパレットの貫通開口部に挿通したあと、
寄り止め部材の螺子留め孔が支持部材の貫通孔に重なるように、寄り止め部材を支持部材の端部に当接させ、
重なり合った螺子留め孔と貫通孔とを螺子留めすることによって支持部材が中央に引き寄せられないようにし、
支持部材の各端部を吊った複数のロープをロープ中継部材に締結し、クレーン先端のフックまでの間で一旦中継して懸垂する
ことを特徴とするパレット用吊り上げ補助具である。
【００１５】
本発明に係るパレット用吊り上げ補助具は、
支持部材の各端部を吊る複数のロープを中継するリング状のロープ中継部材を備えたことを特徴とするパレット用吊り上げ補助具である。
ロープ中継部材とは、支持部材の各端部を吊った複数のロープを、クレーン先端のフックまでの間で一旦中継して懸垂するためのものである。
リング状の形状をなしたロープ中継部材が、支持部材の各端部を吊った複数のロープを束ねることで、ロープ中継部材からクレーン先端のフックまでの間は１本のロープで懸垂することができるため、何本ものロープをフックに吊下げることがなく、作業性が向上する。
【００１６】
本発明は、
パレット上に載置した運搬物をパレットごとクレーンなどの荷役機械で吊って吊り上げる際に使用するパレット用の吊り上げ補助具であって、
運搬物を水平に吊り上げるためにパレットの貫通開口部に挿通される、貫通孔を有する板状のプレートが両端部に取り付けられた２本の棒状の支持部材と、
支持部材が中央に引き寄せられないように間隔保持材として機能する、Ｌ型断面形状をなし、複数の螺子留め孔が設けられた２本の棒状の寄り止め部材と、
クレーンなどの荷役機械の先端に取り付けられたフックまでの間で、支持部材の各端部を吊る複数のロープを中継するためのリング状のロープ中継部材と、
支持部材の各端部を吊る複数のロープがパレット上の載置した運搬物に接しないように支持部材のロープを各端部側のそれぞれで締結する、ロープ中継部材を備えた間隔保持部材と、
からなり、
支持部材をパレットの貫通開口部に挿通したあと、
寄り止め部材の螺子留め孔が支持部材の貫通孔に重なるように、寄り止め部材を支持部材の端部に当接させ、
重なり合った螺子留め孔と貫通孔とを螺子留めすることによって支持部材が中央に引き寄せられないようにし、
支持部材の各端部を吊った複数のロープを間隔保持部材に取り付けられたロープ中継部材に締結し、
各ロープ中継部材からクレーン先端のフックまでの間で一旦中継して懸垂する
ことを特徴とするパレット用吊り上げ補助具である。
【００１７】
本発明に係るパレット用吊り上げ補助具は、ロープ中継部材が、支持部材と同じ長さの間隔保持部材の両端部に形成されていることを特徴とするものである。
ロープ中継部材は、支持部材の各端部を吊った複数のロープを１点で束ねることになるが、運搬物が大きい場合には、ロープが運搬物に接触してしまい、運搬物との摩擦によってロープが磨耗し、運搬中にロープが切れてしまうことがある。
そこで、支持部材の各端部を吊った複数のロープが運搬物に接触しないように、支持部材の各端部を吊った複数のロープを２点（支持部材と同じ長さの間隔保持部材の両端部）で束ね、ロープ中継部材からクレーン先端のフックまでの間は２本のロープで懸垂することができるようにしたものである。
これによれば、支持部材の各端部を吊ったロープは、支持部材の両側で、鉛直上方向にあるロープ中継部材でそれぞれ束ねられ、２箇所のロープ中継部材からクレーン先端のフックまでの間を２本のロープで懸垂することで、運搬物に接触することなく、運搬物を運搬できる。
【００１９】
本発明に係るパレット用吊り上げ補助具は、間隔保持部材が、支持部材であることを特徴とするものである。
これによれば、使用部材は、支持部材と寄り止め部材の２種類のみで足り、作業性、経済性に優れたパレット用吊り上げ補助具を提供できる。
なお、間隔保持部材として支持部材を使用した場合のロープ中継部材は、支持部材の貫通孔に取り付ける。
ロープ中継部材は、例えば、シャックルなどが使用できる。
【発明の効果】
【００２０】本発明では以下の効果を奏する。【００２１】１）支持部材と寄り止め部材という２つの部材を使って螺子留めするだけで簡単に支持部材の引き寄せを防止することができる。【００２２】２）寄り止め部材をＬ型断面形状にすることで、寄り止め部材の軸周方向に対する捻りに高い抗力を得ることができ、確実に寄り止めを防止し、吊り上げ時、運搬時の安定性が増す。【００２３】３）支持部材の各端部を吊った複数のロープを束ねることで、ロープ中継部材からクレーン先端のフックまでの間は１本のロープで懸垂することができるため、作業性が向上する。【００２４】４）支持部材の各端部を吊ったロープを２箇所のロープ中継部材で束ね、クレーン先端のフックまでの間を２本のロープで懸垂することで、運搬物に接触することなく、運搬物を運搬することができる。【００２５】５）少ない使用部材で運搬物を運搬でき、作業性、経済性に優れたパレット用吊り上げ補助具を提供できる。
【図面の簡単な説明】
【００２６】
【図１】本発明に係るパレット用吊り上げ補助具を使用した一実施例の構成全体を正面から撮影した写真である。
【図２】本発明に係るパレット用吊り上げ補助具を使用した一実施例の構成全体を側方から撮影した写真
【図３】本発明に係るパレット用吊り上げ補助具を使用した一実施例の間隔保持部材を正面から撮影した写真
【図４】支持部材及び寄り止め部材を螺子留めして連結した一実施例を示す正面図
【図５】支持部材及び寄り止め部材を螺子留めして連結した一実施例を示す右側面図
【図６】支持部材及び寄り止め部材を螺子留めして連結した一実施例を示す平面図
【図７】支持部材及び寄り止め部材を螺子留めして連結した一実施例を示す底面図
【図８】支持部材（螺子有り）の一実施例を示す正面図
【図９】支持部材（螺子有り）の一実施例を示す右側面図
【図１０】支持部材（螺子有り）の一実施例を示す平面図
【図１１】支持部材（螺子有り）の一実施例を示す正面図中央縦切断部端面図
【図１２】支持部材（螺子無し）の一実施例を示す正面図
【図１３】支持部材（螺子無し）の一実施例を示す右側面図
【図１４】支持部材（螺子無し）の一実施例を示す平面図
【図１５】支持部材（螺子無し）の一実施例を示す正面図中央縦切断部端面図
【図１６】寄り止め部材の一実施例を示す正面図
【図１７】寄り止め部材の一実施例を示す背面図
【図１８】寄り止め部材の一実施例を示す右側面図
【図１９】寄り止め部材の一実施例を示す平面図
【図２０】寄り止め部材の一実施例を示す底面図
【発明を実施するための形態】
【００２７】本発明に係るパレット用吊り上げ補助具の一実施例として、支持部材、寄り止め部材、支持部材の両端に取り付けられたロープ中継部材を使用する場合の使用例を図面を用いて説明する。
【００２８】図１及び２は、本発明に係るパレット用吊り上げ補助具を使用した一実施例の構成全体を、正面及び側方から撮影した写真である。
また、図３は、間隔保持部材に支持部材を使用した一実施例を、正面から撮影した写真である。
なお、図１乃至３に写っている背景は、本発明に係るパレット用吊り上げ補助具とは一切関係が無い。
【００２９】本発明に係るパレット用吊り上げ補助具を使用するには、まず、運搬物を載積したパレット１の貫通開口部に、支持部材２を挿通する。
支持部材２は、本実施例では断面が角型形状のものを使用するが、貫通開口部を挿通できれば断面形状が丸型でも角型でもいずれの形状でも良い。
【００３０】支持部材２は、パレットの幅大の長さで、両端部がパレットの貫通開口部から若干突出する程度の長さとする。
支持部材２の両端には、支持部材２の軸方向と直交するように板状のプレート２ａが取り付けられている。
プレート２ａは、両端付近に貫通孔２ｂが設けられている。
この貫通孔２ｂは、寄り止め部材３の螺子留め孔３ａとともに、ボルト４を挿通して螺子留めするためのものである。
【００３１】支持部材２の使用本数は、パレット１に載積する運搬物の重量にもよるが、本実施例では２本使用する。
２本の支持部材２の間を、寄り止め部材３によって支持部材２の間隔を保持する（寄り止めを防ぐ）。
【００３２】支持部材２の一実施例を図８乃至１５に示す。
具体的には、図８乃至１１は、支持部材２にボルト４を通した状態の一実施例を示す正面図、右側面図、平面図、正面図中央縦切断部端面図である。
ボルト４を通した状態の支持部材２の一実施例を示す背面図は正面図と、同左側面図は右側面図と、同底面図は平面図と、それぞれ同一に表れるため省略している。
これに対し、図１２乃至１５は、ボルト４を取り外して、支持部材２のみの状態の一実施例を示す正面図、右側面図、平面図、正面図中央縦切断部端面図である。
支持部材２のみの一実施例を示す背面図は正面図と、同左側面図は右側面図と、同底面図は平面図と、それぞれ同一に表れるため省略している。
【００３３】寄り止め部材３は、Ｌ型断面形状のアングルを使用する。
寄り止め部材３には、両端付近に螺子留め孔３ａが４箇所設けられている。
螺子留め孔３ａが設けられる間隔は、支持部材２のプレート２ａに設けられた貫通孔２ｂの間隔と同じとする。
これによって、支持部材２の本数が増えたり、または、支持部材２同士の間隔が短い場合にも、適宜、調整することができる。
【００３４】寄り止め部材３の螺子留め孔３ａを支持部材２のプレート２ａの貫通孔２ｂと重ね合わせ、ボルト４を挿通して螺子留めする。
これによって、支持部材２の寄り止めを防ぐことができる。
【００３５】寄り止め部材３の一実施例を図１６乃至２０に示す。
具体的には、図１６乃至２０は、寄り止め部材３の一実施例を示す正面図、右側面図、背面図、平面図、底面図である。
寄り止め部材３の一実施例を示す左側面図は右側面図と左右対称に表れるため省略している。
【００３６】また、本発明に係るパレット用吊り上げ補助具の支持部材２及び寄り止め部材３を螺子留めして連結した状態の一実施例を図４乃至７に示す（パレットその他の部材は省略してある）。
具体的には、図４乃至７は、支持部材２及び寄り止め部材３を螺子留めして連結した一実施例を示す正面図、右側面図、平面図、底面図である。
支持部材２及び寄り止め部材３を螺子留めして連結した一実施例を示す背面図は正面図と、同左側面図は右側面図と、それぞれ同一に表れるため省略している。
【００３７】支持部材２及び寄り止め部材３を螺子留めして連結したのちは、支持部材２端部の計４箇所を、ロープ５で吊る。
支持部材２の片側２箇所を吊ったロープ５は、間隔保持部材６としての支持部材２の端部に取り付けられたシャックル７の穴に通して吊下げる。
これによって、４箇所を吊ったロープ５は２点で中継され、運搬物にロープ５が接触することなく、運搬物を運搬できる。
【００３８】間隔保持部材６としての支持部材２の端部に取り付けられた別のシャックル７にもロープ５を係止し、このロープ５の端をクレーン先端のフック８に吊下げる。
このようにして、本発明に係るパレット用吊り上げ補助具を使用する。
【００３９】本発明に係るパレット用吊り上げ補助具によれば、少ない使用部材で、作業員一人でも簡単に吊下げ作業を行うことができ、載積する運搬物にかかわらず、安定した運搬を行うことができる。
【符号の説明】
【００４０】１    パレット
２    支持部材
２ａ  プレート
２ｂ  貫通孔
３    寄り止め部材
３ａ  螺子留め孔
４    ボルト
５    ロープ
６    間隔保持部材
７    シャックル
８    フック
【図１】
0005513306.tif 000002
【図２】
0005513306.tif 000003
【図３】
0005513306.tif 000004
【図４】
0005513306.tif 000005
【図５】
0005513306.tif 000006
【図６】
0005513306.tif 000007
【図７】
0005513306.tif 000008
【図８】
0005513306.tif 000009
【図９】
0005513306.tif 000010
【図１０】
0005513306.tif 000011
【図１１】
0005513306.tif 000012
【図１２】
0005513306.tif 000013
【図１３】
0005513306.tif 000014
【図１４】
0005513306.tif 000015
【図１５】
0005513306.tif 000016
【図１６】
0005513306.tif 000017
【図１７】
0005513306.tif 000018
【図１８】
0005513306.tif 000019
【図１９】
0005513306.tif 000020
【図２０】
0005513306.tif 000021